(57)【要約】【課題】回転部品と固定部品が接触した際にも火花が発生しなくなり、真空容器内での爆発的反応を防止できる真空ポンプ及び該真空ポンプに備えられた保護部を提供する。【解決手段】ガス流路の狭い隙間を隔てたネジ付きスペーサ１３１のネジ山１３１ａ〜ネジ山１３１ｅの頭部側に、非金属製の保護部１ａ〜保護部１ｅを周状に形成する。同様にガス流路の隙間の狭い回転翼１０２ｘの先端に対向する固定翼スペーサ１２５ｘの内周面側にも保護部１ｘを周状に形成する。保護部１は回転翼１０２と静止部が接触した際にも、母材の金属材料同士が接触しないために必要十分な厚みの非金属で形成する。回転翼１０２と静止部間が接触したときに  保護部１が先に接触し削れることで  母材の金属同士が露出して接触するのを避けられる。保護部１は一定の硬度も有しているので、物体をはじく作用も相まって、一層効果的に母材の金属同士が露出して接触するのを避けられる。【選択図】図２
2020197129.tif 000002
【特許請求の範囲】
【請求項１】
外筒と、
該外筒内に回転可能に支持されたロータ軸と、
該ロータ軸を回転駆動する回転駆動手段と、
前記ロータ軸に固定された翼列を有する金属製の回転翼と、
該回転翼の翼列の間に設置された固定翼、該固定翼を所定の間隔で保持する固定翼スペーサ、及び前記回転翼の周囲に設置されたステータの内の少なくともいずれか一つで構成される金属製の静止部と、
前記回転翼と前記静止部間に形成された排気流路と、
前記回転翼及び前記静止部の内の少なくとも一部に、前記回転翼と前記静止部が接触したとき金属同士の接触を防止可能な厚みを有する非金属製の保護部を備えたことを特徴とする真空ポンプ。
【請求項２】
前記ロータ軸を空中に浮上支持する磁気軸受を備え、
前記ロータ軸が前記磁気軸受により所定の可動幅をもって非接触で保持され、前記所定の可動幅より前記保護部が厚く形成されたことを特徴とする請求項１記載の真空ポンプ
【請求項３】
前記保護部が、０．１ｍｍ以上の厚みで形成されたことを特徴とする請求項１又は請求項２記載の真空ポンプ。
【請求項４】
前記保護部が、前記ステータ、及び、前記回転翼の少なくともいずれか一方より突設された突設部の頭部に配設されたことを特徴とする請求項１〜３のいずれか一項に記載の真空ポンプ。
【請求項５】
前記保護部が、前記回転翼及び前記静止部の少なくとも一方の前記排気流路に面する面に形成されたことを特徴とする請求項１〜３のいずれか一項に記載の真空ポンプ。
【請求項６】
前記保護部が、円筒状部の内周側から突設された前記回転翼と対向する螺旋状の突設部を有し、
前記円筒状部の外周側が前記ステータに対して固定されたことを特徴とする請求項１〜２のいずれか一項に記載の真空ポンプ。
【請求項７】
前記保護部が、フッ素樹脂で形成されたことを特徴とする請求項１〜６のいずれか一項に記載の真空ポンプ。
【請求項８】
前記保護部が、フッ素樹脂の粒子と該粒子を固定する樹脂からなる複合材料で形成されたことを特徴とする請求項１〜６のいずれか一項に記載の真空ポンプ。
【請求項９】
請求項１〜８のいずれか一項に記載の真空ポンプに備えられた非金属で形成されたことを特徴とする保護部。
【発明の詳細な説明】
【技術分野】
【０００１】
本発明は真空ポンプ及び該真空ポンプに備えられた保護部に係わり、特に回転部品と固定部品が接触した際にも火花が発生しなくなり、真空容器内での爆発的反応を防止できる真空ポンプ及び該真空ポンプに備えられた保護部に関する。
【背景技術】
【０００２】
近年のエレクトロニクスの発展に伴い、メモリや集積回路といった半導体の需要が急激に増大している。
これらの半導体は、きわめて純度の高い半導体基板に不純物をドープして電気的性質を与えたり、エッチングにより半導体基板上に微細な回路を形成したりなどして製造される。
【０００３】
そして、これらの作業は空気中の塵等による影響を避けるため高真空状態の真空容器内で行われる必要がある。この真空容器の排気には、一般に真空ポンプが用いられているが、特に残留ガスが少なく、保守が容易等の点から真空ポンプの中の一つであるターボ分子ポンプが多用されている。
【０００４】
また、半導体の製造工程では、さまざまなプロセスガスを半導体の基板に作用させる工程が数多くあり、ターボ分子ポンプは真空容器内を真空にするのみならず、これらのプロセスガスを真空容器内から排気するのにも使用される。
ところで、プロセスガスは、反応性を高めるため高温の状態で真空容器に導入される場合がある。
【０００５】
これらのプロセスガスは、排気される際に圧縮されてある圧力になると固体となり排気系に生成物を析出する場合がある。そして、この種のプロセスガスがターボ分子ポンプ内部に付着して堆積する場合がある。
【０００６】
この生成物は、下記のメカニズムで重大なトラブルを生じる原因となるおそれがある。
（１）ポンプの稼働中に何らかの不測の要因により回転翼と固定翼とが接触することがある。接触する部位としては、特に排気口付近のネジ付きスペーサ部分で多い。このとき、金属同士の接触により火花が発生する。
（２）（１）をきっかけに、ポンプ内に堆積した反応生成物が爆発的に反応する。
（３）（２）の結果、ポンプ内部、及びこのポンプに接続された真空容器内の圧力が急上昇する
（４）ポンプ又は真空容器の構成部品が破損し、内部のガスが大気中に噴出する
【０００７】
半導体や、フラットパネルなどの製造に用いられるガスや、製造過程で出る副産物の中には、人体に有害な物質もあるため、上記が生じると重大事故につながる。
従来、上記のトラブルはほとんど見られなかったが、近年、半導体や、フラットパネルなどの材料の変化に伴い、上記のトラブルが生じるリスクが出てきている。
このリスクに対して従来は想定されておらず、このため対策事例も見られない。従って、本願とは目的が相違するが、従来技術の例として本願と同じく回転翼と固定翼のコーティングに着目した特許文献１と特許文献２を挙げる。
【０００８】
特許文献１は、回転翼と固定翼、及び固定翼間に設置されたスペーサにフッ素樹脂コーティングを設けて放射率を向上させた例である。
特許文献２は、回転翼に施したＮｉメッキの表面にエポキシ樹脂層を設けて放射率を向上させた例である。そして、樹脂層の厚みとして、数十ｕｍとすることが推奨されている。
【先行技術文献】
【特許文献】
【０００９】
【特許文献１】特開２００５−３２５７９２公報
【特許文献２】特開２００６−２３３９７８公報
【発明の概要】
【発明が解決しようとする課題】
【００１０】
しかしながら、樹脂層は熱伝導率が余り良くないので、樹脂層の厚さを厚くすると熱が放射され難くなる。また、樹脂層は厚くするとコストもその分高くなる。
更に、回転翼側に樹脂層を接着する場合には、樹脂層の厚みを厚くすると密着性を高く接着しておかないと表面から剥がれるおそれが生ずる。
【００１１】
従って、熱の放射率を向上させるためには特許文献２で数十ｕｍと推奨されているように、金属の表面に薄くコーティングするというのが従来技術の考え方である。
しかし、数十ｕｍ程度の樹脂層の厚みでは、回転翼と固定翼との接触時に容易に樹脂層は破損し、金属の母材同士が接触する。このため、火花の発生を防ぐことはできず、事故の未然防止を期待できない。
【００１２】
本発明はこのような従来の課題に鑑みてなされたもので、回転部品と固定部品が接触した際にも火花が発生しなくなり、真空容器内での爆発的反応を防止できる真空ポンプ及び該真空ポンプに備えられた保護部を提供することを目的とする。
【課題を解決するための手段】
【００１３】
このため本発明（請求項１）は真空ポンプの発明であって、外筒と、該外筒内に回転可能に支持されたロータ軸と、該ロータ軸を回転駆動する回転駆動手段と、前記ロータ軸に固定された翼列を有する金属製の回転翼と、該回転翼の翼列の間に設置された固定翼、該固定翼を所定の間隔で保持する固定翼スペーサ、及び前記回転翼の周囲に設置されたステータの内の少なくともいずれか一つで構成される金属製の静止部と、前記回転翼と前記静止部間に形成された排気流路と、前記回転翼及び前記静止部の内の少なくとも一部に、前記回転翼と前記静止部が接触したとき金属同士の接触を防止可能な厚みを有する非金属製の保護部を備えたことを特徴とする。
【００１４】
回転翼及び静止部の内の少なくとも一部に、金属同士の接触を防止可能な厚みを有する非金属製の保護部を備える。このため、回転翼と静止部が接触したときであっても、金属同士が露出して接触することがないので、火花が発生するのを防止できる。従って、固体生成物に引火し真空容器内で爆発することもない。
【００１５】
また、本発明（請求項２）は真空ポンプの発明であって、前記ロータ軸を空中に浮上支持する磁気軸受を備え、前記ロータ軸が前記磁気軸受により所定の可動幅をもって非接触で保持され、前記所定の可動幅より前記保護部が厚く形成されたことを特徴とする。
【００１６】
ロータ軸の可動幅より保護部を厚く形成することで、回転翼と静止部の金属同士の距離を、ロータ軸の可動幅より大きくとることができ、金属同士の接触防止効果が高まる。また、回転翼と静止部が接触したとき、容易に削られる材料で保護部を形成しても良いため、保護部の材料選定の幅が広がる。
回転翼と静止部が接触したとき、容易に削られる材料を選定すると、回転翼と静止部が接触したときの衝撃を緩和できるだけでなく、回転翼と静止部の間隔が拡がり、再接触が起こりにくくなるため、異常を検知した後、ポンプが完全に停止するまでに繰返し衝突することを防ぐ効果も期待できる。
【００１７】
更に、本発明（請求項３）は真空ポンプの発明であって、前記保護部が、０．１ｍｍ以上の厚みで形成されたことを特徴とする。
【００１８】
０．１ｍｍ以上は、回転翼と静止部間が接触したときに、保護部が先に接触し削れることで母材の金属同士が露出して接触するのを避けられる寸法である。保護部は一定の硬度も有しているので、０．１ｍｍ以上の厚さとすることで、物体をはじく作用も相まって、一層効果的に母材の金属同士が露出して接触するのを避けられる。
【００１９】
更に、本発明（請求項４）は真空ポンプの発明であって、前記保護部が、前記ステータ、及び、前記回転翼の少なくともいずれか一方より突設された突設部の頭部に配設されたことを特徴とする。
【００２０】
排気流路を挟んで、ステータや回転翼より突設された突設部の頭部に対し部分的に保護部を形成するので、使用される材料も少なく安価に構成できる。
【００２１】
更に、本発明（請求項５）は真空ポンプの発明であって、前記保護部が、前記回転翼及び前記静止部の少なくとも一方の前記排気流路に面する面に形成されたことを特徴とする。
【００２２】
接触が想定される部位以外の排気流路にも保護部でコーティングを施す。保護部の摩擦係数は低いので表面は滑り易く、爆発の原因となる固体生成物が溜まるのを防止できる。即ち、固体生成物が圧縮の中で生成されても静止部の表面に付着せずにガスと共に押し流されていくので、固体生成物はこのエリアに溜まりにくい。このように保護部を配設することで、爆発を防止すると共に、固体生成物の蓄積防止の二重の安全策になる。
【００２３】
更に、本発明（請求項６）は真空ポンプの発明であって、前記保護部が、円筒状部の内周側から突設された前記回転翼と対向する螺旋状の突設部を有し、前記円筒状部の外周側が前記ステータに対して固定されたことを特徴とする。
【００２４】
保護部の内周側には螺旋状の突設部が形成されていることで排気性能が確保される。排気流路に面した部分が非金属であり、回転翼と静止部が接触したときであっても金属同士が接触することがないので火花を発生しない。従って、固体生成物に引火し爆発することもない。
【００２５】
更に、本発明（請求項７）は真空ポンプの発明であって、前記保護部が、フッ素樹脂で形成されたことを特徴とする。
【００２６】
フッ素樹脂は摩擦係数が低いため、回転翼が保護部の表面を滑り易く、衝突時の衝撃を軽減できる。このため、火花の防止効果が向上する。また、保護部からの熱の放射率も高く、保護部が回転翼と静止部間の衝突により容易には割れない程度の硬度を有する点で望ましい材料である。更に、反応生成物の付着を防止し、引火する物質を遠ざける効果も期待できる。
【００２７】
更に、本発明（請求項８）は真空ポンプの発明であって、前記保護部が、フッ素樹脂の粒子と該粒子を固定する樹脂からなる複合材料で形成されたことを特徴とする。
【００２８】
保護部を複合材料で形成した場合には、保護部の硬度が下がりもろくなる性質を生ずる。この場合、接触したときに一定の剛性を維持しつつ、削れながら衝突の衝撃を軽減できる効果が期待できる。
【００２９】
更に、本発明（請求項９）は保護部の発明であって、請求項１〜８のいずれか一項に記載の真空ポンプに備えられた非金属で形成されたことを特徴とする。
【発明の効果】
【００３０】
以上説明したように本発明（請求項１）によれば、回転翼及び静止部の内の少なくとも一部に、回転翼と静止部が接触したとき金属同士の接触を防止可能な厚みを有する非金属製の保護部を備えて構成したので、回転翼と静止部が接触したときであっても、金属同士が露出して接触することがない。このため、火花が発生するのを防止できる。従って、固体生成物に引火し真空容器内で爆発することもない。
【図面の簡単な説明】
【００３１】
【図１】本発明の第１実施形態であるターボ分子ポンプの構成図
【図２】回転翼及びネジ付きスペーサ周りの拡大図
【図３】本発明の第２実施形態の構成図
【図４】本発明の第３実施形態の構成図
【発明を実施するための形態】
【００３２】
以下、本発明の実施形態について説明する。図１に本発明の第１の実施形態であるターボ分子ポンプの構成図を示す。
図１において、ターボ分子ポンプ１０のポンプ本体１００の円筒状の外筒１２７の上端には吸気口１０１が形成されている。外筒１２７の内方には、ガスを吸引排気するためのタービンブレードによる複数の回転翼１０２ａ、１０２ｂ、１０２ｃ・・・をハブ９９の周部に放射状かつ多段に形成した回転体１０３を備える。
【００３３】
この回転体１０３の中心にはロータ軸１１３が取り付けられており、このロータ軸１１３は、例えば、いわゆる５軸制御の磁気軸受により空中に浮上支持かつ位置制御されている。
上側径方向電磁石１０４は、４個の電磁石が、ロータ軸１１３の径方向の座標軸であって互いに直交するＸ軸とＹ軸とに対をなして配置されている。この上側径方向電磁石１０４に近接かつ対応して、コイルを備えた４個の上側径方向変位センサ１０７が備えられている。この上側径方向変位センサ１０７はロータ軸１１３の径方向変位を検出し、図示しない制御装置に送るように構成されている。
【００３４】
制御装置においては、上側径方向変位センサ１０７が検出した変位信号に基づき、ＰＩＤ調節機能を有する補償回路を介して上側径方向電磁石１０４の励磁を制御し、ロータ軸１１３の上側の径方向位置を調整する。
ロータ軸１１３は、高透磁率材（鉄など）などにより形成され、上側径方向電磁石１０４の磁力により吸引されるようになっている。かかる調整は、Ｘ軸方向とＹ軸方向とにそれぞれ独立して行われる。
【００３５】
また、下側径方向電磁石１０５及び下側径方向変位センサ１０８が、上側径方向電磁石１０４及び上側径方向変位センサ１０７と同様に配置され、ロータ軸１１３の下側の径方向位置を上側の径方向位置と同様に調整している。
更に、軸方向電磁石１０６Ａ、１０６Ｂが、ロータ軸１１３の下部に備えた円板状の金属ディスク１１１を上下に挟んで配置されている。金属ディスク１１１は、鉄などの高透磁率材で構成されている。
【００３６】
そして、軸方向電磁石１０６Ａ、１０６Ｂは、図示しない軸方向変位センサの軸方向変位信号に基づき制御装置のＰＩＤ調節機能を有する補償回路を介して励磁制御されるようになっている。軸方向電磁石１０６Ａと軸方向電磁石１０６Ｂは、磁力により金属ディスク１１１をそれぞれ上方と下方とに吸引する。
【００３７】
このように、制御装置は、この軸方向電磁石１０６Ａ、１０６Ｂが金属ディスク１１１に及ぼす磁力を適当に調節し、ロータ軸１１３を軸方向に磁気浮上させ、空間に非接触で保持するようになっている。
モータ１２１は、ロータ軸１１３を取り囲むように周状に配置された複数の磁極を備えている。各磁極は、ロータ軸１１３との間に作用する電磁力を介してロータ軸１１３を回転駆動するように、制御装置によって制御されている。
【００３８】
回転翼１０２ａ、１０２ｂ、１０２ｃ・・・とわずかの空隙を隔てて複数枚の固定翼１２３ａ、１２３ｂ、１２３ｃ・・・が配設されている。回転翼１０２ａ、１０２ｂ、１０２ｃ・・・は、それぞれ排気ガスの分子を衝突により下方向に移送するため、ロータ軸１１３の軸線に垂直な平面から所定の角度だけ傾斜して形成されている。
また、固定翼１２３も、同様にロータ軸１１３の軸線に垂直な平面から所定の角度だけ傾斜して形成され、かつ外筒１２７の内方に向けて回転翼１０２の段と互い違いに配設されている。
【００３９】
そして、固定翼１２３の一端は、複数の段積みされた固定翼スペーサ１２５ａ、１２５ｂ、１２５ｃ・・・の間に嵌挿された状態で支持されている。
固定翼スペーサ１２５はリング状の部材であり、例えばアルミニウム、鉄、ステンレス、銅などの金属、又はこれらの金属を成分として含む合金などの金属によって構成されている。
【００４０】
固定翼スペーサ１２５の外周には、わずかの空隙を隔てて外筒１２７が固定されている。外筒１２７の底部にはベース部１２９が配設され、固定翼スペーサ１２５の下部とベース部１２９の間にはステータに相当するネジ付きスペーサ１３１が配設されている。そして、ベース部１２９中のネジ付きスペーサ１３１の下部には排気口１３３が形成され、外部に連通されている。
【００４１】
ネジ付きスペーサ１３１は、アルミニウム、銅、ステンレス、鉄、又はこれらの金属を成分とする合金などの金属によって構成された円筒状の部材であり、その内周面に螺旋状のネジ溝１３２が複数条刻設されている。
ネジ溝１３２の螺旋の方向は、回転体１０３の回転方向に排気ガスの分子が移動したときに、この分子が排気口１３３の方へ移送される方向である。
【００４２】
回転体１０３のハブ９９の下端には径方向かつ水平に張出部８８が形成され、この張出部８８の周端より回転翼１０２ｄが垂下されている。この回転翼１０２ｄの外周面は、円筒状で、かつネジ付きスペーサ１３１の内周面に向かって張り出されており、このネジ付きスペーサ１３１の内周面と所定の隙間を隔てて近接されている。
ベース部１２９は、ターボ分子ポンプ１０の基底部を構成する円盤状の部材であり、一般には鉄、アルミニウム、ステンレスなどの金属によって構成されている。
【００４３】
ベース部１２９はターボ分子ポンプ１０を物理的に保持すると共に、熱の伝導路の機能も兼ね備えているので、鉄、アルミニウムや銅などの剛性があり、熱伝導率も高い金属が使用されるのが望ましい。
また、吸気口１０１から吸引されたガスがモータ１２１、下側径方向電磁石１０５、下側径方向変位センサ１０８、上側径方向電磁石１０４、上側径方向変位センサ１０７などで構成される電装部側に侵入することのないよう、電装部は周囲をステータコラム１２２で覆われ、この電装部内はパージガスにて所定圧に保たれている。
【００４４】
更に、ステータコラム１２２の上部と下部のロータ軸１１３周りには、それぞれ環状の玉軸受で構成された保護ベアリング１３５と保護ベアリング１３７が配設されている。これらの保護ベアリング１３５、１３７は、回転体１０３の回転異常時や停電時等のように回転体１０３が何らかの要因で磁気浮上ができなくなったきに、回転体１０３が安全に非浮上状態に移行し停止できるよう設けられている。
【００４５】
図２に、回転翼１０２ｄ及びネジ付きスペーサ１３１周りの拡大図を示す。
図２において、ネジ付きスペーサ１３１のネジ山１３１ａ〜ネジ山１３１ｅの頭部に、非金属製の保護部１ａ〜保護部１ｅが周状に形成されている。また、回転翼１０２ｘの先端に対向する固定翼スペーサ１２５ｘの内周面にも保護部１ｘが周状に形成されている。
【００４６】
次に、本発明の第１実施形態の作用について説明する。
ターボ分子ポンプ１０は、高速で回転する回転翼１０２と、固定翼１２３、ネジ付きスペーサ１３１、固定翼スペーサ１２５を含む静止部とのクリアランスがきわめて小さい。そのため、排気ガスの凝固成分などの固体生成物がポンプ本体１００の内部に堆積した場合や、クリープ現象により回転体が変形した場合などに、回転翼１０２と静止部が接触するおそれがある。
【００４７】
特に、固体生成物はベース部１２９付近に多く堆積し易い。このため、図２に示すように、回転翼１０２ｄの外周とネジ付きスペーサ１３１のネジ山１３１ａ〜ネジ山１３１ｅの頭部間のガス流路の狭い部分で、金属同士の接触のおそれが高い。そこで、このガス流路の狭い隙間を隔てたネジ付きスペーサ１３１のネジ山１３１ａ〜ネジ山１３１ｅの頭部側に、非金属製の保護部１ａ〜保護部１ｅを周状に形成する。また、同様にガス流路の隙間の狭い回転翼１０２ｘの先端に対向する固定翼スペーサ１２５ｘの内周面側にも保護部１ｘを周状に形成する。
【００４８】
保護部１は、回転翼１０２と静止部が接触した際にも、母材の金属材料同士が接触しないために必要十分な厚みの非金属で形成する。この非金属は例えば、フッ素樹脂、エポキシ樹脂、ＰＰＳ（ポリフェニレンスルファイド）、ウレタン等である。この内、フッ素樹脂は、摩擦係数が低いため回転翼１０２が保護部１の表面を滑り易く、衝突時の衝撃を軽減できる。また、保護部１からの熱の放射率も高く、保護部１が回転翼１０２と静止部間の衝突により容易には割れない程度の硬度を有する点で最も望ましい材料である。更に、反応生成物の付着を防止し、引火する物質を遠ざける効果も期待できる。
【００４９】
但し、保護部１は、フッ素樹脂の粒子がエポキシ樹脂、ＰＰＳ等の耐熱樹脂に分散された複合材料で形成してもよい。
必要十分な保護部１の厚みとは、例えば０．１ｍｍ以上である。この厚みは、回転翼１０２と静止部間が接触したときに、保護部１が先に接触し削れることで母材の金属同士が露出して接触するのを避けられる寸法である。保護部１は一定の硬度も有しているので、０．１ｍｍ以上の厚さとすることで、物体をはじく作用も相まって、一層効果的に母材の金属同士が露出して接触するのを避けられる。
【００５０】
また、保護部１を複合材料で形成した場合には、保護部１の硬度が下がりもろくなる性質を生ずる。この場合、接触したときに一定の剛性を維持しつつ削れながら衝突の衝撃を軽減できる効果が期待できる。
以上により、回転翼１０２と静止部が接触したときであっても、金属同士が露出して接触することがないので火花が発生するのを防止できる。従って、固体生成物に引火し真空容器内で爆発することもない。
【００５１】
本実施形態では、ネジ付きスペーサ１３１のネジ山１３１ａ〜ネジ山１３１ｅの頭部と、回転翼１０２ｘの先端に対向する固定翼スペーサ１２５ｘの内周面部分にだけ部分的に保護部１を形成したので、材料も少なく安価に構成できる。
【００５２】
なお、図２ではガス流路の狭い隙間を隔てたネジ付きスペーサ１３１のネジ山１３１ａ〜ネジ山１３１ｅの頭部側に、非金属製の保護部１ａ〜保護部１ｅを周状に形成するとして説明をしたが、ネジ山１３１ａ〜ネジ山１３１ｅの頭部に対向する回転翼１０２ｄの外周面に保護部を形成してもよい。また、対向するガス流路を隔てた両面に保護部を形成してもよい。
【００５３】
同様に、ガス流路の隙間の狭い回転翼１０２ｘの先端に対向する固定翼スペーサ１２５ｘの内周面側に保護部１ｘを周状に形成するとして説明をしたが、回転翼１０２ｘの先端側に保護部１ｘを周状に形成してもよい。
保護部１は、例えばロボットで厚み管理をしつつ、スプレーで樹脂を吹きつける等の厚付き塗装で形成する。また、別途、シール状の固定部品として作成し、この固定部品をネジ付きスペーサ１３１のネジ山１３１ａ〜ネジ山１３１ｅの頭部等に接着するようにしてもよい。
【００５４】
更に、図２ではガス流路の狭い隙間を隔てたネジ付きスペーサ１３１のネジ山１３１ａ〜ネジ山１３１ｅの頭部、及び固定翼スペーサ１２５ｘの内周面とに形成をするとして説明をした。しかしながら、固体生成物はこれらの箇所のみに堆積する訳ではなく、これらの箇所より吸気口１０１側のガス流路の狭い隙間を隔てた回転翼１０２ａ、１０２ｂ、１０２ｃ・・・、固定翼１２３ａ、１２３ｂ、１２３ｃ・・・、固定翼スペーサ１２５ａ、１２５ｂ、１２５ｃ・・・の表面に対しても堆積や付着をする可能性はある。そこで、これらの部位にも上記と同様の保護部１を形成するようにしてもよい。
【００５５】
次に、本発明の第２実施形態について説明する。
本発明の第２実施形態の構成図を図３に示す。なお、図２と同一要素については説明を省略する。図３においては、ガスの排気流路に沿ってネジ付きスペーサ１３１のネジ山１３１ａ〜ネジ山１３１ｅの頭部、ネジ溝１３２の底面と側面、固定翼スペーサ１２５ｘを含むネジ付きスペーサ１３１の一側面全体が保護部１でコーティングされている。
【００５６】
次に、本発明の第２実施形態の作用について説明する。
本発明の第２実施形態では、第１実施形態とは異なり、接触が想定される部位以外の排気流路にも保護部３でコーティングを施している。保護部３の摩擦係数は低いので表面は滑り易く、ネジ付きスペーサ１３１のいずれの部位にも爆発の原因となる固体生成物が溜まるのを防止できる。即ち、固体生成物が圧縮の中で生成されても、ネジ付きスペーサ１３１の表面に付着せずにガスと共に押し流されていくので、固体生成物はこのエリアに溜まりにくい。このように保護部３を配設することで、爆発を防止すると共に、固体生成物の蓄積防止の二重の安全策になる。              
【００５７】
保護部３は前述した厚付き塗装で同様に形成するようにしてもよいが、所定の厚みをもたせて型を入れて間に樹脂を流す。即ち、ネジ付きスペーサ１３１の表面に樹脂を注型して形成するようにしてもよい。
また、別途、注型等により保護部３を固定部品として作成し、この固定部品をステータに対して接着するようにしてもよい。更に、保護部３は図３に示す範囲を超え、吸気口１０１付近にまで静止部の広範囲にわたり配設するようにしてもよい。更に、保護部３は排気流路に面する回転翼１０２側に配設してもよい。
【００５８】
次に、本発明の第３実施形態について説明する。
本発明の第３実施形態の構成図を図４に示す。なお、図２と同一要素については説明を省略する。図４においては、内径の異なる段差５の形成された円筒状部７の内周壁に、保護部９が接着剤若しくはボルト等により固定されている。保護部９の内周側は、ネジ付きスペーサ１３１の形状と同様に形成されている。即ち、ガスの排気流路に沿ってネジ山１１ａ〜ネジ山１１ｅの頭部、ネジ溝１３が刻設されている。一方、保護部９の外周側は、円筒状部７の段差５に合わせて段差が形成されている。保護部９の上部には、固定翼スペーサ１２５ｘの部位に相当する壁部１１ｘが突設されている。
【００５９】
次に、本発明の第３実施形態の作用について説明する。
円筒状部７の内周壁に、保護部９が段差５を介して確実に固定される。保護部９の内周側には、ネジ溝１３が形成されていることで排気性能が確保される。排気流路の静止部側が樹脂なので、第１実施形態、第２実施形態と同様の効果が期待できる。
【００６０】
なお、保護部９は別途、樹脂の固定部品として成形する。また、回転翼１０２、張出部８８、回転翼１０２ｄ側に成形した保護部９を固着するようにしてもよい。また、回転翼１０２、張出部８８、回転翼１０２ｄの全体を保護部９の固定部品として成形してもよい。    
【００６１】
次に、保護部を配設したときの保護ベアリングとの相乗作用について説明する。  
保護ベアリング１３５と保護ベアリング１３７が配設されていることで、回転体１０３の回転異常時等でもロータ軸１１３の変動は一定の範囲内に制限される。この範囲は例えば保護ベアリングの隙間である０．１ｍｍである。
【００６２】
保護部１、３、９が設けられていない場合には、この隙間の大きさは変化することはない。このため、ネジ付きスペーサ１３１と回転翼１０２の金属同士が衝突すると衝突時の衝撃の大きいままに衝突が繰り返される。このため、保護ベアリング１３５、１３７でなかなか衝撃を抑制できないおそれがある。
【００６３】
これに対し、保護部１、３、９が設けられた場合には、衝突に伴い樹脂が削れることで例えば０．２ｍｍ等隙間が広がり、それ以上接触が起こるのを防ぐことができる。このため、保護ベアリング１３５、１３７で衝撃が抑制され易い。
このとき、保護部全体を一様な厚みで形成せず、マス目状に数ｍｍおきに切れ目、または、厚みが薄い部分を設けると、接触時にも、保護部全体が剥がれることなく、接触部とその周辺のみが削られるようにできる。但し、縦方向若しくは横方向にのみ切れ目等を設けるようにしてもよい。
これにより、回転体１０３を停止させるという保護ベアリング１３５、１３７の機能を安定的に向上させることができる。
なお、上記の各実施形態の説明では、ネジ山１３１ａ〜ネジ山１３１ｅをネジ付きスペーサ１３１の内周面側に配設するとして説明をした。しかしながら、このネジ山１３１ａ〜ネジ山１３１ｅを、ネジ付きスペーサ１３１の内周面側ではなく、回転翼１０２ｄの外周面側に配設しても良い。
また、ネジ付きスペーサ１３１を円板状とし、ネジ山１３１ａ〜ネジ山１３１ｅをこの円板の平面上に渦巻き状に突設させる。そして、この突設された面を、円板状に形成された回転翼１０２に対し、排気流路を介して対向するように構成しても良い。
なお、本発明は、本発明の精神を逸脱しない限り種々の改変をなすことができ、そして、本発明が当該改変されたものにも及ぶことは当然である。
【符号の説明】
【００６４】
１、３、９ 保護部
７ 円筒状部
１０ ターボ分子ポンプ
１１ ネジ山
１３ ネジ溝
１００ ポンプ本体
１０２ 回転翼
１０３ 回転体
１１３ ロータ軸
１２１ モータ
１２３ 固定翼
１２５ 固定翼スペーサ
１２７ 外筒
１２９ ベース部
１３１ ネジ付きスペーサ
１３２ ネジ溝
１３５、１３７ 保護ベアリング
【図１】
2020197129.tif 000003
【図２】
2020197129.tif 000004
【図３】
2020197129.tif 000005
【図４】
2020197129.tif 000006